(57)【特許請求の範囲】
【請求項１】
処理テープに印刷処理を行う印刷ヘッドと、
前記処理テープが着脱自在に収容されるテープ収容部と、
前記テープ収容部を開閉する開閉蓋と、
前記テープ収容部に連なる前記処理テープの繰出し経路に配設され、繰出された前記処理テープを切断するテープカッターと、
前記開閉蓋の開放に連動して、前記テープカッターの作動をロックさせると同時に前記印刷ヘッドを前記処理テープから離間する非印刷位置に移動させ、閉塞に連動して、前記テープカッターの作動をロック解除させると同時に前記印刷ヘッドを前記処理テープに接触する印刷位置に移動させる蓋連動機構と、を備えたことを特徴とするテープ処理装置。
【請求項２】
前記テープカッターを切断動作させるためのカッター操作子、および前記カッター操作子に加えた力を前記テープカッターに伝達する切断力伝達部を有するカッター作動機構を、更に備え、
前記蓋連動機構は、前記開閉蓋の開放に連動して前記カッター作動機構をロックさせ、閉塞に連動して前記カッター作動機構をロック解除させることを特徴とする請求項１に記載のテープ処理装置。
【請求項３】
前記蓋連動機構に連結され、前記カッター作動機構の作動をロックおよびロック解除するロック部を、更に備え、
前記切断力伝達部は、ギヤ列を有し、
前記ロック部は、前記ギヤ列における１のギヤの歯溝に対し、ロック位置とロック解除位置との間で係脱するロック爪を有していることを特徴とする請求項２に記載のテープ処理装置。
【請求項４】
前記蓋連動機構は、前記ロック部を保持すると共に、支点を中心に回動して前記ロック爪を前記歯溝に対し係脱させるロック部ホルダーを有していることを特徴とする請求項３に記載のテープ処理装置。
【請求項５】
前記ロック部ホルダーの支点と前記１のギヤの支軸とを結ぶ仮想線を底辺とし、前記ロック位置における前記ロック爪と前記歯溝との接触点を頂点とする三角形が、扁平な三角形となるように、前記ロック爪および前記ロック部ホルダーが配設されていることを特徴とする請求項４に記載のテープ処理装置。
【請求項６】
前記蓋連動機構は、前記印刷ヘッドを前記処理テープに接触する印刷位置と前記処理テープから離間する非印刷位置との間で移動させるリリースレバーを有し、
前記リリースレバーが前記ロック部ホルダーを兼ねていることを特徴とする請求項４または５に記載のテープ処理装置。
【発明の詳細な説明】
【技術分野】
【０００１】
本発明は、テープに印刷処理、カッティング処理、点字打刻処理等を実施すると共に、テープの処理済み部分を切断するテープ処理装置に関するものである。
【背景技術】
【０００２】
従来、この種のテープ処理装置として、テープに所望の印刷を行う印字装置（テープライター）が知られている（特許文献１参照）。
この印字装置は、上面の後半部に本体カバーを有し、本体カバーの内側には、テープを収容したテープカートリッジが着脱自在に装着されるカートリッジ装着部が窪入形成されている。カートリッジ装着部とテープ排出口との間には、テープの送り経路となる溝が設けられており、この溝に臨んでテープカッターが内蔵されている。一方、本体カバーの切欠き凹部には、カッターボタンが配設されている。本体カバーを開放して、カートリッジ装着部にテープカートリッジを装着し、本体カバーを閉塞した後、印刷動作を指令すると、テープがテープカートリッジから繰り出されるようにテープ排出口に向かって送られ、印刷が実施される。印刷が完了した後、カッターボタンを押釦すると、テープの印刷済み部分が切断され、テープ排出口から落下するようにして排出される。
【先行技術文献】
【特許文献】
【０００３】
【特許文献１】特開平１０−６７１５０号公報
【発明の概要】
【発明が解決しようとする課題】
【０００４】
このような、従来の印字装置では、テープカートリッジを着脱するために、本体カバー（開閉蓋）を開放するが、この状態で、カッターボタンを介してテープカッターを切断動作させることが可能となっている。このため、本体カバーを開放したときに、例えばクリップ等の異物がテープの送り経路である溝に入り込み、この状態で、誤ってカッターボタンを押下操作してしまうことが考えられる。かかる場合に、異物をテープカッターで切断してしまうことになり、異物によっては、テープカッターを損傷してしまう虞があった。
【０００５】
本発明は、開閉蓋の開放時にテープカッターを切断動作不能とすることができるテープ処理装置を提供することを課題としている。
【課題を解決するための手段】
【０００６】
本発明のテープ処理装置は、処理テープに印刷処理を行う印刷ヘッドと、処理テープが着脱自在に収容されるテープ収容部と、テープ収容部を開閉する開閉蓋と、テープ収容部に連なる処理テープの繰出し経路に配設され、繰出された処理テープを切断するテープカッターと、開閉蓋の開放に連動して、テープカッターの作動をロックさせると同時に印刷ヘッドを処理テープから離間する非印刷位置に移動させ、閉塞に連動して、テープカッターの作動をロック解除させると同時に印刷ヘッドを処理テープに接触する印刷位置に移動させる蓋連動機構と、を備えたことを特徴とする。
【０００７】
この構成によれば、蓋連動機構により、開閉蓋の開放に連動してテープカッターの作動をロックさせるようにしている。このため、開閉蓋の開放した状態では、テープカッターの切断動作は不能となる。これにより、例えば開閉蓋を開放したときに、処理テープの繰出し経路に異物等が入り込むことがあっても、テープカッターの切断動作は不能となるため、テープカッターを損傷する等に事態を回避することができる。また、開閉蓋の開閉に連動して印刷ヘッドを離接動作させる機構を活用して、カッターの作動をロック・アンロックすることができる。なお、処理テープは、テープカートリッジに収容した状態でテープ収容部に着脱する構成であってもよいし、小巻のままテープ収容部に着脱する構成であってもよい。
【０００８】
この場合、テープカッターを切断動作させるためのカッター操作子、およびカッター操作子に加えた力をテープカッターに伝達する切断力伝達部を有するカッター作動機構を、更に備え、蓋連動機構は、開閉蓋の開放に連動してカッター作動機構をロックさせ、閉塞に連動してカッター作動機構をロック解除させることが好ましい。
【０００９】
この構成によれば、蓋連動機構により、開閉蓋の開放に連動してカッター作動機構の作動をロックさせるようにしている。このため、開閉蓋を開放した状態では、カッター操作子によるテープカッターの切断動作は不能となる。
【００１０】
この場合、蓋連動機構に連結され、カッター作動機構の作動をロックおよびロック解除するロック部を、更に備え、切断力伝達部は、ギヤ列を有し、ロック部は、ギヤ列における１のギヤの歯溝に対し、ロック位置とロック解除位置との間で係脱するロック爪を有していることが好ましい。
【００１１】
この構成によれば、ロック部のロック爪により、切断力伝達部のギヤをロック・アンロックするようにしているため、単純な構造で、カッター作動機構を確実にロック・アンロックすることができる。
【００１２】
この場合、蓋連動機構は、ロック部を保持すると共に、支点を中心に回動してロック爪を歯溝に対し係脱させるロック部ホルダーを有していることが好ましい。
【００１３】
この構成によれば、ロック部のロック爪が切断力伝達部のギヤ（の歯溝）に係合するロック状態でおいて、カッター操作子に加えられた力は、ロック部ホルダーの支点で受けることになる。これにより、単純な構造で、カッター操作子に加えられた力を適切に逃がすことができる。
【００１４】
この場合、ロック部ホルダーの支点と１のギヤの支軸とを結ぶ仮想線を底辺とし、ロック位置におけるロック爪と歯溝との接触点を頂点とする三角形が、扁平な三角形となるように、ロック爪およびロック部ホルダーが配設されていることが好ましい。
【００１５】
この構成によれば、カッター操作子に加えられた力により回転しようとするギヤ（の歯溝）に対し、ロック爪が食い込むように作用する。このため、ギヤの歯溝に係合したロック爪が、加えられた力によりギヤから外れてしまうことがなく、カッター作動機構を確実にロックすることができる。
【００１６】
一方、蓋連動機構は、印刷ヘッドを処理テープに接触する印刷位置と処理テープから離間する非印刷位置との間で移動させるリリースレバーを有し、リリースレバーがロック部ホルダーを兼ねていることが好ましい。
【００１７】
この構成によれば、開閉蓋の開閉に連動して印刷ヘッドを離接動作させるヘッドリリース機構を活用して、カッター作動機構をロック・アンロックするようにしている。このため、構造の複雑化や部品点数の増加を抑制ししつつ、開閉蓋の開放時にテープカッターを切断動作不能とすることができる。
【図面の簡単な説明】
【００２０】
【図１】実施形態に係るテープ印刷装置の閉蓋状態の裏面側外観斜視図である。
【図２】実施形態に係るテープ印刷装置の開蓋状態の裏面側外観斜視図である。
【図３】テープ印刷装置における開閉蓋および構成装置廻りを表側から見た斜視図であって、装置フレームを加えた状態の斜視図（ａ）および装置フレームを除いた状態の斜視図（ｂ）である。
【図４】テープ印刷装置における構成装置廻りを表側から見た斜視図である。
【図５】テープ印刷装置における構成装置廻りを表側から見た平面図であって、カッター作動機構をロックした状態の平面図（ａ）およびアンロックした状態の平面図（ｂ）ある。
【図６】テープ印刷装置におけるテープ切断部廻りを裏側から見た斜視図であって、カッター切込み動作を示す斜視図（ａ）およびカッター復帰動作を示す斜視図（ｂ）である。
【発明を実施するための形態】
【００２１】
以下、添付の図面を参照しながら、本発明の一実施形態に係るテープ処理装置を適用したテープ印刷装置について説明する。このテープ印刷装置は、処理テープである小巻の印刷テープが着脱自在に装着され、装着した印刷テープを繰出しながらこれに印刷を行うものである。また、印刷テープの印刷済み部分が手動操作で切断されることにより、所望の印刷が為された、いわゆるラベルが作成される。
【００２２】
図１および図２は、テープ印刷装置１を斜め下方からその裏面を見た斜視図であり、図１は閉蓋状態を、図２は開蓋状態を表している。両図に示すように、このテープ印刷装置１は、ハンディタイプのものであり、全体としてカメラボティを模した形態を有している。すなわち、テープ印刷装置１は、両側面を円弧状断面とし、上面の片側に後述するカッターボタン４３を配し、上面の中央に後述するテープ排出口９を配して構成されている。また、図示しないが、テープ印刷装置１の前面（表側）には、広くキーボードが配設されると共に、キーボードの上方に横長のディスプレイが配設されている。
【００２３】
ユーザーは、キーボードから情報を入力し、ディスプレイを使って編集を行った後、キーボードから印刷を指令し印刷テープＴに印刷を実施する。印刷が終了したらカッターボタン４３を押釦することで、印刷済みのテープ片（ラベル）を得るようになっている。また、キーボードから印刷テープＴの所定量の繰出しを指令し、繰出しが終了したらカッターボタン４３を押釦することで、手書き用のテープ片を得るようになっている。
【００２４】
このような外観を有するテープ印刷装置１は、装置ケース３に構成装置４を内蔵した装置本体２と、装置本体２の裏面側に開閉自在に設けた裏蓋となる開閉蓋５と、を備えている。開閉蓋５を開放した装置本体２の裏面側には、左右一方の半部に小巻の印刷テープＴを収容するテープ収容部７が窪入形成され、他方の半部に乾電池を収容する電池収容部８が窪入形成されている。また、テープ収容部７と上記のテープ排出口９との間には、小巻の印刷テープＴを繰出しながら送るための繰出し経路１０が、形成されている。繰出し経路１０は、印刷テープＴの幅に合わせて深い溝となっており、繰出し経路１０のテープ収容部７側には、後述する印刷ヘッド３２およびプラテン３８が配設され、繰出し経路１０のテープ排出口９側には、後述するテープカッター４１が配設されている（図６参照）。
【００２５】
図２に示すように、開閉蓋５は、装置本体２の裏面全域を覆うものであり、一方の側端部に、装置ケース３に設けた一対の掛止め部１２との間でヒンジを構成する一対のヒンジ片１３を有すると共に、他方の側端部に、装置ケース３に設けた爪片１４との間で閉止機構を構成する閉止部１５を有している。一対のヒンジ片１３は係止爪の形態を有し、装置ケース３の一対の掛止め部１２に対し回動自在に、且つ開閉蓋５を開放した状態で係脱可能に構成されている。また、装置ケース３の爪片１４はばね性を有し、閉止部１５に対しロック・アンロック可能に構成されている。開閉蓋５を閉塞する場合には、一対の掛止め部１２に一対のヒンジ片１３を掛け止めし、一対の掛止め部１２を中心に開閉蓋５を閉塞方向に回動させて、爪片１４に閉止部１５をロックする。一方、開閉蓋５を開放する場合には、開閉蓋５を開放方向に回動させて閉止部１５と爪片１４とのロックを解除した後、一対の掛止め部１２を中心に開閉蓋５を開放方向に回動させる。また、必要に応じて、開放状態の開閉蓋５を装置ケース３が取り外すようにする。
【００２６】
一方、開閉蓋５には、収容した印刷テープＴに対応する部分に透光性の小窓１７が形成されており、この小窓１７を介して、印刷テープＴの残量やテープ色等を視認できるようになっている。さらに、開閉蓋５の内側には、後述する回転円板２３が回転自在に取り付けられ、また後述する作動突起７１が一体に形成されている。
【００２７】
図２に示すように、小巻の印刷テープＴは、軸心にコア部材がなく、中心部が円形開口となるように、長尺の印刷テープＴを単純に巻き締めて構成されている。また、印刷テープＴは、裏面に粘着剤を塗着した記録テープＴａと、記録テープＴａの裏面に貼着した剥離テープＴｂとで構成されている。記録テープＴａは、いわゆる感熱の装飾テープで構成されており、その使い勝手として、これに感熱の印刷を行って印刷済みのテープ片（ラベル）として用いる場合の他、手書きのテープ片として用いる場合を想定している。
【００２８】
このように構成された小巻の印刷テープＴは、テープ収容部７において、テープ収容部７とこれを閉塞する開閉蓋５とに設けたテープホルダー２１に、着脱可能に且つ繰出し可能に保持される。テープホルダー２１は、テープ収容部７に固定的に突設したガイド突起２２と、開閉蓋５に回転自在に設けた軸突起２４付きの回転円板２３と、を有している。印刷テープＴは、その繰出し端部を上記の繰出し経路１０に挿入すると共に、円形開口をガイド突起２２に遊嵌するようにして、テープ収容部７に投入される。この状態で開閉蓋５を閉塞すると、円形開口に軸突起２４が嵌合すると共に端面が回転円板２３に当接し、印刷テープＴがセットされる。
【００２９】
実施形態のテープ印刷装置１は、図１や図２の状態から表裏反転して用いられるため、セットされた印刷テープＴは、実質上、開閉蓋５に回転自在に設けられた回転円板２３に保持される。これにより、印刷テープＴは、印刷動作等において円滑に繰出されてゆく。なお、回転円板２３は、透光性の部材で構成されており、上記の小窓１７からの視認性を損なうことはない。また、繰出し経路１０において、印刷テープＴの繰出し端部は屈曲状態を維持し、外力による繰出し端部の装置内への引き込みが防止されるようになっている（図２参照）。
【００３０】
次に、図３ないし図６を参照して、装置ケース３に内蔵されている構成装置４について詳細に説明する。なお、図３ないし図５は、構成装置４をテープ印刷装置１の表側から見た図であり、図６は、構成装置４をテープ印刷装置１の裏側から見た図である。また、図３では、開閉蓋５も併せて表しているが、構成装置４はあくまでも装置ケース３側に内蔵されている。
【００３１】
これらの図に示すように、構成装置４は、印刷ヘッド３２を有し、印刷テープＴに所望の印刷を行う印刷部３１と、印刷テープＴの印刷済み部分を切断するテープ切断部３３、テープ切断部３３（後述するカッター作動機構４２）の作動をロックおよびロック解除するロック部３４と、開閉蓋５の開閉に連動してロック部３４および印刷ヘッド３２を回動させる蓋連動機構部３５（蓋連動機構）と、を備えている。そして、これら印刷部３１、テープ切断部３３、ロック部３４および蓋連動機構部３５の主要部分は、装置ケース３に設けた装置フレーム３６に支持されている（図３（ａ）および図６参照）。
【００３２】
印刷部３１は、サーマルヘッドで構成された印刷ヘッド３２と、印刷テープＴを挟んで印刷ヘッド３２に対峙するプラテン３８（プラテンローラー）と、を有している。印刷ヘッド３２は、複数の発熱素子を列設したヘッド本体３２ａ（サーマルヘッド）と、ヘッド本体３２ａを保持するヘットホルダー３２ｂとから成り、ヘットホルダー３２ｂは、後述する回動支軸７５に回動自在に支持されている。これにより、印刷ヘッド３２は、印刷位置と非印刷位置との間で回動自在に構成されている（詳細は後述する）。プラテン３８は、印刷に際し、印刷テープＴを挟んで印刷ヘッド３２を受けると共に、図外の動力部からの回転動力により回転し、印刷テープＴを繰出しながら送る。一方、印刷ヘッド３２は、プラテン３８による印刷テープＴの送りに同期して発熱駆動する。これにより、テープ排出口９から送り出されるようにして送られてゆく印刷テープＴに所望の印刷が行われる。なお、手書き用のテープ片を得る場合には、印刷ヘッド３２の発熱駆動は行われない。
【００３３】
テープ切断部３３は、印刷テープＴを切断するテープカッター４１と、手動操作でテープカッター４１を切断動作させるカッター作動機構４２と、を備えている。カッター作動機構４２は、カッターボタン４３（カッター操作子）と、カッターボタン４３の押釦動作をテープカッター４１のスライド動作（切断動作）に動力変換する作動ギヤ列４４（切断力伝達部）と、を有している。
【００３４】
カッターボタン４３は、装置ケース３から露出する円柱状のボタン本体４６と、ボタン本体４６を支持する角筒状の支持ガイド部４７と、支持ガイド部４７の外面に突設したボタン側ラック部４８と、で一体に形成されている。支持ガイド部４７は、軸方向において装置ケース３にスライド自在に係合し、またカッターボタン４３と、装置ケース３に設けたばね受け４９との間には、戻しばね５０が介設されている（図５参照）。ボタン本体４６を押すと、戻しばね５０に抗して支持ガイド部４７と共にボタン側ラック部４８が下動（前進）する。一方、戻しばね４９にしたがってボタン本体４６の押圧力を弱めると、支持ガイド部４７と共にボタン側ラック部４８が上動（後退）する。その後、ボタン本体４６から指を離すと、支持ガイド部４７の上面の一部が装置ケース３に当接し、ボタン本体４６が元の位置に復帰する（図５（ａ）および（ｂ）参照）。
【００３５】
作動ギヤ列４４は、カッターボタン４３に設けた上記のボタン側ラック部４８と、ボタン側ラック部４８に噛み合うボタン側ピニオン５２（ギヤ）と、同軸上においてボタン側ピニオン５２に固定された中間ギヤ５３と、中間ギヤ５３に噛み合うカッター側ピニオン５４（ギヤ）と、カッター側ピニオン５４に噛み合うと共に後述するカッターホルダー６２に設けたカッター側ラック部５５と、を有している。ボタン側ピニオン５２および中間ギヤ５３は、いわゆる欠歯歯車で構成されており、カッターボタン４３の押釦動作に伴うボタン側ラック部４８の進退動（上下動）を正逆の回転に変換する。中間ギヤ５３が正逆の回転すると、カッター側ピニオン５４が正逆回転し、カッター側ラック部５５を介して、カッターホルダー６２を、カッターボタン４３の押釦方向に直交する方向にスライド（切断動作）させる（図５（ａ）および（ｂ）参照）。
【００３６】
図５および図６に示すように、テープカッター４１は、斜刃で構成されたカッター刃６１と、カッター刃６１を保持すると共に装置フレーム３６および装置ケース３にスライド自在に取り付けられたカッターホルダー６２と、カッターホルダー６２にスライド自在に取り付けられたテープ押え部材６３と、カッターホルダー６２とテープ押え部材６３との間に介設された押圧ばね６４と、カッターホルダー６２を切断待機位置に復帰させる復帰ばね６５と、を備えている。そして、カッターホルダー６２の背面側には、その長手方向に沿って、上記のカッター側ピニオン５４に噛み合うカッター側ラック部５５が一体に形成されている。
【００３７】
カッターボタン４３を押釦すると、上記の作動ギヤ列４４を介して、カッター刃６１がカッターホルダー６２と共にスライドする。すなわち、カッターボタン４３を押釦すると、カッターホルダー６２（カッター刃６１）は復帰ばね６５に抗して、切断待機位置から切断位置に移動する（切込み動作：図５（ｂ）および図６（ａ）参照）。一方、カッターボタン４３を戻すと、上記の作動ギヤ列４４を介して、カッター刃６１がカッターホルダー６２と共に逆方向にスライドする。すなわち、カッターボタン４３を戻すと、カッターホルダー６２（カッター刃６１）は復帰ばね６５により、切断位置から切断待機位置に復帰する（復帰動作：図５（ａ）および図６（ｂ）参照）。なお、復帰ばね６５の一方の掛止め端は、カッターホルダー６２に設けてもよいし、テープ押え部材６３に設けてもよい。
【００３８】
また、切込み動作において、カッターホルダー６２に設けたテープ押え部材６３は、カッター刃６１に先行して前進し、装置ケース３に設けたテープ受け部６６との間に印刷テープＴを挟み込む（図５参照）。ここで、押圧ばね６４を圧縮するようにして、カッターホルダー６２が切込み動作を続行し、やがてカッター刃６１が印刷テープＴを切断する。一方、復帰動作では、復帰ばね６５により、カッター刃６１（カッターホルダー６２）がテープ押え部材６３に先行して後退を開始し（押圧ばね６４は伸びる）、やがてテープ押え部材６３が切断された印刷テープＴから離間する。このようにして、印刷テープＴの切断動作が実施される。
【００３９】
次に、図３ないし図５を参照して、ロック部３４および蓋連動機構部３５について説明する。蓋連動機構部３５は、開閉蓋５の開閉に連動して、印刷ヘッド３２を、印刷位置と非印刷位置との間で回動させると同時に、上記のロック部３４を、ロック位置とロック解除位置との間で回動させるものである。印刷位置における印刷ヘッド３２は、プラテン３８との間に印刷テープＴを挟み込んで印刷可能状態とし、ロック位置におけるロック部３４は、上記のカッター側ピニオン５４に係合してカッター作動機構４２の作動をロックする。
【００４０】
蓋連動機構部３５は、開閉蓋５に設けた上記の作動突起７１と、開閉蓋５に開閉に伴う作動突起７１の係脱により回動する係合ブロック７２と、係合ブロック７２の回動により連結ばね７３を介して回動するリリースレバー７４と、リリースレバー７４を回動自在に支持する回動支軸７５と、リリースレバー７４を回動付勢するリリースばね７６と、を備えている。係合ブロック７２は、三角形の外観を有するブロック本体８１と、ブロック本体８１の下面（図示では上側となる）に突設したばね掛け部８２とで一体に形成されている。ブロック本体８１は、ばね掛け部８２に対角する隅部で装置ケース３に回動自在に支持されている（図２および図５参照）。また、作動突起７１に対峙するブロック本体８１の１の辺には、作動突起７１が係脱する係合斜面８３が形成されている。
【００４１】
開閉蓋５の閉塞動作の終期において、作動突起７１は係合斜面８３に当接し、係合斜面８３をスライドしながらこれを押圧する。これにより、係合ブロック７２は回動し、ばね掛け部８２を介して連結ばね７３を伸張方向に引く。一方、開閉蓋５の開放動作の初期において、作動突起７１は、係合斜面８３をスライドしながら押圧を解くと同時に、連結ばね７３が収縮してばね掛け部８２を引く（実際には、リリースばね７６により、リリースレバー７４を介して連結ばね７３が引かれる）。これにより、係合ブロック７２は逆方向に回動し、元の位置に復帰する。すなわち、開閉蓋５の開閉に連動して、係合ブロック７２が確動的に回動する。なお、開閉蓋５が完全に閉塞された状態では、作動突起７１と係合ブロック７２との接触点が、開閉蓋５のヒンジ（回動中心）と係合ブロック７２の回動中心を結ぶ線に対し死点越しており、連結ばね７３（リリースばね７６）のばね力は、開閉蓋５を引き込む方向に作用している。また、開閉蓋５の開放に伴って、逆方向に死点越えすると、開閉蓋５は、連結ばね７３（リリースばね７６）により跳ね上げられる。
【００４２】
リリースレバー７４は、係合ブロック７２の位置から印刷ヘッド３２に向ってクランク状に延びる金属の板材（板金製）で構成されている。リリースレバー７４の先端部８５は、印刷ヘッド３２を上下に抱くように「コ」字状に折り曲げられており、この部分に印刷ヘッド３２が連結されている。また、リリースレバー７４は、この先端部８５近傍において装置フレーム３６に立設した（図示では、垂設された状態）回動支軸７５に、印刷ヘッド３２と共に回動自在に支持されている。一方、リリースレバー７４の基部には、連結ばね７３を掛け止めする掛止め孔８６が形成されており、連結ばね７３は、この掛止め孔８６と係合ブロック７２のばね掛け部８２との間に掛け渡されている。
【００４３】
また、リリースレバー７４の基部側には、「Ｌ」字状の舌片８７が突設されており、この舌片８７にリリースばね７６が掛け止めされている。リリースばね７６は、一端を舌片８７に掛け止めされ、他端を装置ケース３のばね受け突起８８に掛け止めされ（図５参照）、リリースレバー７４を図示の時計回りに回動付勢している。なお、連結ばね７３とリリースばね７６とは、いずれも引張りばねとしてばね力を拮抗させた状態で配設されている。
【００４４】
一方、「コ」字状に折り曲げられリリースレバー７４の先端部８５には、その一部を更に延長するように、上記のロック部３４が一体に形成されている。ロック部３４は、リリースレバー７４から延びるロック部本体９１と、ロック部本体９１からカッター側ピニオン５４に向って直角に延びるロック爪９２と、を有している。この場合、回動支軸７５に回動自在に支持されたリリースレバー７４は、ロック部３４を保持するロック部ホルダーを兼ねており、ロック爪９２がカッター側ピニオン５４の任意の１の歯溝５４ａに係止（かみ込む）するロック位置と、ロック爪９２がカッター側ピニオン５４から離脱するロック解除位置との間で、ロック部３４を回動自在（実際には、回動支軸７５を中心に正逆円運動）に支持している。
【００４５】
ロック爪９２の先端部は、カッター側ピニオン５４の歯溝５４ａの形状と相補的形状に形成されており、ロック部３４を回動によるロック爪９２の先端部の移動軌跡は、カッター側ピニオン５４の軸心に向っている。この場合、ロック部３４とリリースレバー７４の先端部８５（回動支軸７５）との位置関係は、回動支軸７５の中心、すなわちロック部３４の回動支点とカッター側ピニオン５４の軸心とを結ぶ仮想線を底辺とし、ロック位置におけるロック爪９２の先端部と歯溝５４ａとの接触点を頂点とする、扁平な三角形が構成されるものとなっている。これにより、カッターボタン４３の押釦により、図示の反時計回りに回転しようとするカッター側ピニオン５４に対し、ロック爪９２の先端部が歯溝５４ａに食い込むように作用し、ロック爪９２がカッター側ピニオン５４により弾かれてしまうのを、有効に防止している。
【００４６】
ここで、図３および図５を参照して、開閉蓋５の開閉に伴うロック部３４および蓋連動機構部３５の動作について説明する。
開閉蓋５が閉塞されている状態では、作動突起７１により、係合ブロック７２および連結ばね７３を介して、リリースレバー７４は図示反時計周りの回動端位置に移動している（図３および図５（ｂ）参照）。この状態で、印刷ヘッド３２は印刷位置に移動しており、ロック部３４は、ロック解除位置に移動している。したがって、印刷部３１による印刷が可能であって、テープ切断部３３による印刷テープＴの切断も可能となっている。
【００４７】
この状態から、開閉蓋５を開放すると、係合ブロック７２から作動突起７１が外れ、リリースばね７６により、リリースレバー７４は図示時計周りに回動する。このリリースレバー７４の回動に伴って、印刷ヘッド３２は印刷位置から非印刷位置に移動し、同時にロック部３４はロック解除位置からロック位置に移動する（図３および図５（ａ）参照）。印刷ヘッド３２が非印刷位置に移動することにより、印刷テープＴの挟持状態が解かれ、印刷テープＴの着脱が可能となる。また、ロック部３４がロック位置に移動することにより、ロック爪９２がカッター側ピニオン５４に係合し、カッター作動機構４２の作動がロックされる。これにより、カッターボタン４３が押釦不能となり、テープカッター４１が切断動作不能となる。
【００４８】
また、開閉蓋５を閉塞してゆくと、作動突起７１が係合ブロック７２に係合し、リリースレバー７４が図示反時計周り回動する。このリリースレバー７４の回動に伴って、印刷ヘッド３２は非印刷位置から印刷位置に移動し、同時にロック部３４はロック位置からロック解除位置に移動する（図３および図５（ｂ）参照）。
【００４９】
以上のように、本実施形態によれば、蓋連動機構部３５により、開閉蓋５の開放に連動してロック部３４により、カッター作動機構４２の作動をロックするようにしているため、開閉蓋５の開放した状態で、テープカッター４１を切断動作不能とすることができる。すなわち、開閉蓋５の開放時にテープカッター４１を切断動作不能とすることができる。これにより、例えば開閉蓋５を開放したときに、印刷テープＴの繰出し経路１０に異物等が入り込むことがあっても、テープカッター４１の切断動作は不能となるため、テープカッター４１（カッター刃６１）を損傷する等に事態を回避することができる。また、蓋連動機構部３５により、開閉蓋５の開放に連動して印刷ヘッド３２を非印刷位置に回動させるようにしているため、蓋連動機構部３５がヘッドリリース機構を兼ねる構成とすることができる。これにより、単一の蓋連動機構部３５に２つの機能を持たせることができる。
【００５０】
なお、本発明は、テープにカッティング処理を行うカッティング装置や、点字打刻処理を行う点字打刻装置等にも適用可能である。一方、印刷テープＴは、テープカートリッジに収容した状態でテープ収容部７に着脱する構成であってもよい。また、カッター作動機構４２をロック・アンロックする機構と、印刷ヘッド３２を回動させる機構とを別々に設けてもよい。さらに、ロック部３４をカッター作動機構４２のカッター側ピニオン５４以外のギヤに係脱させる構成であってもよいし、ロック部３４がカッターボタン４３をロックさせる構成であってもよい。
【符号の説明】
【００５１】
１  テープ印刷装置、２  装置本体、３  装置ケース、５  開閉蓋、７  テープ収容部、９  テープ排出部、１０  繰出し経路、３１  印刷部、３２  印刷ヘッド、３３  テープ切断部、３４  ロック部、３５  蓋連動機構部、３６  装置フレーム、３８  プラテン、４１  テープカッター、４２  カッター作動機構、４３  カッターボタン、４４  作動ギヤ列、５４  カッター側ピニオン、５４ａ  歯溝、６１  カッター刃、６２  カッターホルダー、７１  作動突起、７２  カムブロック、７３  連結ばね、７４  リリースレバー、７５  回転支軸、７６  リリースばね、８５  先端部、９１  ロック部本体、９２  ロック爪、Ｔ  印刷テープ
【図１】
0005899873.tif 000002
【図２】
0005899873.tif 000003
【図３】
0005899873.tif 000004
【図４】
0005899873.tif 000005
【図５】
0005899873.tif 000006
【図６】
0005899873.tif 000007